(57)【要約】      （修正有）【課題】床の段差部に使用する仮設のスロープであって、その自重が重くても運搬および設置が容易かつ迅速にでき、安定性のよい仮設スロープを提供する。【解決手段】仮設スロープ１は、スロープ最上部１ａとスロープ下部１ｂに分割されており、スロープ下部１ｂは、蝶番３にてスロープ最上部１ａと連結され、２つに折り畳むことができる。スロープ最上部１ａの下面には、ハンドリフトの爪を挿入するための溝部２が設けられている。仮設スロープ１の両側面に吊環等の取っ手を設ければ、ハンドリフトが使用できない場合にクレーン等で吊り上げ、移動させて運搬することが可能である。重い車両等が通過する場合でも耐えられるように、スロープ最上部１ａおよびスロープ下部１ｂには補強リブ６が設けられている。また、スロープ最上部とスロープ下部の両方もしくは一方の下に、弾性シートが貼付もしくは敷かれている。【選択図】図１
0003218069.tif 000002
【実用新案登録請求の範囲】
【請求項１】
以下の構造を有することを特徴とする仮設スロープ。
(1)少なくとも２以上の部分からなる仮設スロープであって、その最も高い側の部分であるスロープ最上部よりも厚みの薄い部分であるスロープ下部は、前記スロープ最上部に重ねられるようになっている。
(2)運搬装置の爪を挿入するための溝部が、前記スロープ最上部の下面に設けられている。
【請求項２】
請求項１記載の仮設スロープにおいて、前記仮設スロープに取っ手が設けられている
ことを特徴とする仮設スロープ。
【請求項３】
以下の構造を有することを特徴とする仮設スロープ。
(1)少なくとも２以上の部分からなる仮設スロープであって、その最も高い側の部分であるスロープ最上部よりも厚みの薄い部分であるスロープ下部は、前記スロープ最上部に重ねられるようになっている。
(2)前記仮設スロープに取っ手が設けられている。
【請求項４】
請求項１乃至３の何れか１つに記載の仮設スロープにおいて、前記スロープ最上部および前記スロープ下部に、床面に接する複数の補強リブが設けられていることを特徴とする仮設スロープ。
【請求項５】
請求項１乃至４の何れか１つに記載の仮設スロープにおいて、前記スロープ最上部と前記スロープ下部の両方もしくは一方の下に、弾性シートが貼付もしくは敷かれていることを特徴とする仮設スロープ。
【請求項６】
請求項１乃至５の何れか１つに記載の仮設スロープにおいて、前記スロープ最上部の上端縁に、渡し板が取り付けられていることを特徴とする仮設スロープ。
【考案の詳細な説明】
【技術分野】
【０００１】
本考案は、床の段差部に仮設にて設置し、重量物の運搬が可能な簡易な仮設スロープに関する。
【背景技術】
【０００２】
従来、床に段差がある場合、車両や荷物を載せた台車等を通すため、仮設のスロープを設ける場合があった。そのスロープは木製や金属製等であるが、重量物運搬の場合には、スロープの強度確保の必要性からその自重が重くなるので、人力での運搬や設置が困難になる。一方、運搬や設置の容易性確保の観点からスロープ自重を軽くすれば、重量物通過時にスロープが位置ずれを起し易いという安定性の問題があった。これらの問題は、運搬作業の効率性改善における課題であった。
【０００３】
床の段差がある場合の課題に関する先行技術として、例えば特許文献１がある。特許文献１の発明は、高部側に回転自在の段差調整パネルを有するスロープ本体部と、前記スロープ本体部の低部側に接続され回転自在または着脱自在に設けた補助スロープと、を備えたことを特徴とするスロープ形成装置である。
【０００４】
前記段差調整パネルは、前記スロープ本体部の高部の高さと、段差部の高い側の床面高さとの差を吸収する役目を果たす。前記補助スロープは、その使用時には、段差部の低い側の床面に展開して前記高部側に連続してスロープ面を形成し、不使用時には、前記補助スロープ面を下にして前記高部側に重ねることが出来る。
【０００５】
また、前記スロープ本体部の高部側先端部と前記補助スロープ接続側縁端部に、高さ調整可能な脚部を有することも明記されている。
【先行技術文献】
【特許文献】
【０００６】
【特許文献１】特開２０１７−０６６５９５号公報
【考案の概要】
【考案が解決しようとする課題】
【０００７】
以上のように、特許文献１の発明は、前記スロープ本体部を、その高部側先端部と前記補助スロープ接続側縁端部に設けた柱脚で支持するものであるため、重量物がスロープ本体部に載ると撓んで大きく変形する可能性がある。その一方で、自重を軽くして持ち運び易くするためにアルミニウム合金の押出形材を使用することを想定しているので、重量物の通過時に、容易に位置づれを生じ易いという問題がある。即ち、従来の前記課題を解決するものではなく、また、解決に繋がる示唆もない。
【０００８】
本考案は、上述のような課題の解決を図ったものであり、床の段差部に使用する仮設のスロープであって、その自重が重くても運搬および設置が、容易かつ迅速にでき安定性も良い簡易な仮設スロープを提供するものである。
【課題を解決するための手段】
【０００９】
本考案は、以下の構造を有する仮設スロープである。
(1)仮設スロープは少なくとも２以上に分割されており、それらの間は蝶番等で連結され、その最も高い側のスロープ最上部よりも厚みの薄い部分（以下、スロープ下部と称す）は、折り畳んで前記スロープ最上部に重ねられるようになっている。
(2)ハンドリフトやフォークリフト等（以下、リフト等と略す）の運搬装置の爪を挿入するための溝部が、前記スロープ最上部の下面に設けられている。
【００１０】
また、本考案は、以下の構造を有する仮設スロープである。
(1)仮設スロープは少なくとも２以上に分割されており、それらの間は蝶番等で連結され、その最も高い側のスロープ最上部よりも厚みの薄い部分は、折り畳んで前記スロープ最上部に重ねられるようになっている。
(2)前記スロープ最上部の両側面に、吊環等の取っ手が設けられている。
【００１１】
また、前記スロープ最上部および前記スロープ下部に、複数の補強リブを設け、補強リブの下端が床面に接するようにすれば、重量が重い車両等が通過する場合でも、その荷重を分散させて床に伝達することができる。
【００１２】
前記スロープ最上部と前記スロープ下部の両方もしくは一方の下に、ゴム等の弾性シートを貼付もしくは敷くようにすれば、床面の不陸を吸収し、密着性を向上させることができるため、重量が重い車両等を通過させる場合でも、仮設スロープが正規位置からずれないようにすることができる。
【００１３】
なお、本考案の仮設スロープにおいて、前記スロープ最上部の上端縁に、その幅方向のほぼ全長に亘って渡し板が蝶番にて取付けられていてもよい。
【００１４】
本考案はこのような構造であり、これを使用する場合は、折り畳まれた状態の仮設スロープを、その前記スロープ最上部の下面の溝部にリフト等の爪を挿入して持ち上げ、床の段差部まで運搬し、前記スロープ最上部の上端前面が前記段差部の床段差面に当接するようにして、前記リフト等の爪を下げ、前記仮設スロープが折り畳まれた状態のまま下段の床に降ろす。
【００１５】
次に、折り畳まれていたスロープ下部を、人力等にて展開して床に置く。
【００１６】
そして、上段床の方が前記スロープ最上部の上端縁よりも低い場合は、前記渡し板を展開して上段床に設置し、前記スロープ最上部の上端前面と前記床段差面との隙間を塞ぐ。
【００１７】
もし、上段床の方が前記スロープ最上部の上端縁よりも高い場合は、そのギャップを解消する方法として、例えば、不足高さに合わせて必要枚数の板などの調整材を前記仮設スロープの下に挿入して嵩上げするなどの工夫が考えられる。
【００１８】
仮設スロープ設置位置の微調整が必要な場合は、前記リフト等の爪を再上昇させ、前記仮設スロープを少し浮かせて動かしてもよい。前記リフト等は最後に撤去、移動する。
【００１９】
仮設スロープを使用後に撤去する場合は、上記の逆手順で行えばよい。
【００２０】
本考案において、前記スロープ最上部の両側面に吊環等の取っ手が設けられている場合は、クレーン等による吊り上げが可能となるので、リフト等が使えない場合でも、仮設スロープの移動、運搬が可能である。
【００２１】
また本考案では、前記スロープ最上部および前記スロープ下部には、床面に接する複数の補強リブが設けられているので、重い車両等が通過する場合でも、その荷重は分散して床10に伝達されるので、十分な強度と剛性を確保できる。
【００２２】
前記スロープ最上部と前記スロープ下部の両方もしくは一方の下に貼付もしくは敷かれたゴム等があれば、床面の不陸を吸収すると共に密着性が向上するので、重量が重い車両等が通過しても、前記仮設スロープが正規位置からずれ難くなり、安定性が増す。
【００２３】
なお、２以上に分割された前記仮設スロープの各部分相互の連結は、蝶番ではなく、ピンの挿入・抜去方式、もしくはフック等の連結具を用いる方式でもよい。
【考案の効果】
【００２４】
本考案は、以上のような手段によるので、次のような効果がある。
(1)仮設スロープの自重が重くても、ハンドリフトやフォークリフトあるいはクレーン等を用いて、仮設スロープの運搬と設置および収納が、容易かつ迅速にできるので効率的である。
(2)積み重ね式なのでコンパクトであり、運搬や収納がし易い。
(3)補強リブにより、重量物の載荷にも十分耐えられる。
(4)仮設スロープ下面のゴム等が床との密着性を向上させるので、重量物が通過する場合でも、位置ずれが起き難い。
(5)渡し板により、スロープ最上部の上端前面と床段差面との隙間が塞がれるので、上段床とスロープ最上部の上端縁との高さに多少のギャップがあっても、台車等による荷物運搬がスムースである。
【図面の簡単な説明】
【００２５】
【図１】本考案の一実施例であり、使用状況を示した側面図である。
【図２】図１の実施例において、運搬時の状態を示した側面図であり、図３のイ断面視に対応したものである。
【図３】図１の実施例において、運搬方法を示した側面図である。
【図４】本考案における別の実施例を示した側面図である。
【考案を実施するための形態】
【００２６】
本考案の一実施例を図１〜図４にて説明する。仮設スロープ1は、スロープ最上部1aとスロープ下部1bに分割されており、スロープ下部1bは、蝶番3、3…にてスロープ最上部1aと連結され、２つに折り畳むことができる。
【００２７】
図１〜４では、スロープ下部1bは１つだが、仮設スロープ1が長い場合は、例えば仮設スロープ1を３つ（もしくはそれ以上）に分割して、それぞれを蝶番3、3、…にて連結し、２以上のスロープ下部1bを折り畳んでスロープ最上部1aに重ねられるようにしてもよい。
【００２８】
なお、２以上に分割された仮設スロープ１の各部分相互の連結は、蝶番３ではなく、図示しないが、ピンの挿入・抜去方式、もしくはフック等の連結具を用いる方式を用いてもよい。
【００２９】
スロープ最上部1aの下面には、ハンドリフト20やフォークリフト（図示せず）の爪21、21を挿入するための溝部2、2が設けられている。
【００３０】
スロープ最上部1aおよびスロープ下部1bには補強リブ6、6、…が設けられている。
【００３１】
仮設スロープ１の上面板は、歩行者や運搬台車等が滑りにくくするため、チェッカープレートのように凹凸のある鋼板を用いてもよい。
【００３２】
スロープ最上部1aの上端縁のほぼ全長に亘って渡し板4が、蝶番5にて取付けられている。
【００３３】
図２は、本実施例において、スロープ下部1bおよび渡し板4を折り畳んでスロープ最上部1aに重ねた状態を示す側面図であり、運搬時の状態を示す。運搬時には、図２および図３のように、ハンドリフト20やフォークリフト（図示せず）を用い、その爪21、21を溝部2、2に挿入することができる。
【００３４】
本実施例は以上のような構成であるので、使用する場合は、図２のように折り畳まれた状態の仮設スロープ１の溝部2、2に爪21、21を挿入し、図３のように、ハンドリフト20のハンドル22を矢印のように数回上下させて爪21、21を上昇させ、仮設スロープ１を床10から浮かせ、その状態で必要な設置場所まで搬送する。
【００３５】
設置場所では、図１のように、スロープ最上部1aの上端前面7を、床段差面12に当接させた状態にて、仮設スロープ1を床10に降ろし、スロープ下部1bを床10上に、渡し板4を上段床11上に、それぞれ展開する。ハンドリフト20は撤去する。
【００３６】
渡し板４は、スロープ最上部1aの上端前面7と床段差面12との隙間を覆うので、スロープ最上部1aの上端縁と上段床11との高さに多少のギャップがあっても、台車30の通過はスムースである。
【００３７】
以上の通り仮設スロープ１の設置が完了すれば、図１のように、荷物31、31を載せた台車30は、床10と上段床11との間をスムースに通過することができる。
【００３８】
特に、スロープ最上部1aおよびスロープ下部1bには補強リブ6、6、…が、床10に接するように設けられているので、重量が重い車両等が通過する場合でも、その荷重を分散して床10に伝達できる。
【００３９】
重量が重い車両等を通過させる場合は、仮設スロープ1の自重が相対的に軽いと、仮設スロープ1が正規位置からずれることがあるので、仮設スロープ1の下にゴム等を貼るもしくは敷くことによって、床面の不陸を吸収すると共に、密着性を向上させるようにしてもよい。
【００４０】
図４のように、仮設スロープ1の両側面に吊環9、9等の取っ手を設けておけば、ハンドリフト20等が使用できない場合、クレーン等（図示せず）で吊り上げて移動、運搬が可能なのでより便利である。
【００４１】
また、図４のように、仮設スロープ1の両側面から立設した立上り部8、8を設ければ、台車30が仮設スロープ1から脱輪することがないので好ましい。
【産業上の利用可能性】
【００４２】
本考案は、床に段差がある場合に用いる簡易な仮設スロープの運搬手段として、ハンドリフト等の使用が可能になるので、仮設スロープの自重が重くても運搬と設置、更には収納も容易かつ迅速となり、荷物運搬の作業効率の向上に貢献できる。
【符号の説明】
【００４３】
1…仮設スロープ、
1a…スロープ最上部、
1b…スロープ下部、
2…溝部、
3…蝶番、
4…渡し板、
5…蝶番、
6…補強リブ、
7…上端前面、
8…立上り部、
9…吊環（取っ手）、
10…床、
11…上段床、
12…床段差面、
20…ハンドリフト、
21…爪、
22…ハンドル、
30…台車、
31…荷物
【図１】
0003218069.tif 000003
【図２】
0003218069.tif 000004
【図３】
0003218069.tif 000005
【図４】
0003218069.tif 000006